【手続補正書】
【提出日】令和2年12月7日(2020.12.7)
【手続補正１】
【補正対象書類名】明細書
【補正対象項目名】全文
【補正方法】変更
【補正の内容】
【発明の詳細な説明】
【発明の名称】ユーザ機器によるページングメッセージの監視をトリガするための方法、ユーザ機器、基地局及び記憶媒体
【技術分野】
【０００１】
「関連出願の相互参照」
本願は、２０１７年１月２０に出願された出願番号６２／４４８,７０３号の「下りリンク伝送方法」という名称の米国仮特許出願の優先権を主張し、当該出願の全体内容は参照する形でここに組み込まれる。
【０００２】
本願は、通信分野に関し、より詳しくは、ユーザ機器（ｕｓｅｒ  ｅｑｕｉｐｍｅｎｔ、略称ＵＥ）によるページングメッセージの監視をトリガするための方法、ＵＥ、基地局及び記憶媒体に関する。
【背景技術】
【０００３】
ロングタームエヴォリューション（Ｌｏｎｇ  Ｔｅｒｍ  Ｅｖｏｌｕｔｉｏｎ、略称ＬＴＥ）システムでは、物理下りリンク制御チャネル（ｐｈｙｓｉｃａｌ  ｄｏｗｎｌｉｎｋ  ｃｏｎｔｒｏｌ  ｃｈａｎｎｅｌ、略称ＰＤＣＣＨ）においてページングメッセージを指示するとともに、物理下りリンク共有チャネル（ｐｈｙｓｉｃａｌ  ｄｏｗｎｌｉｎｋ  ｓｈａｒｅｄ  ｃｈａｎｎｅｌ、略称ＰＤＳＣＨ）においてページングメッセージを送信する。ページングメッセージが実際に存在するか否かに関らず、アイドルモードにあるＵＥは、算出されたタイムインスタンス（すなわちページング時機、略称ＰＯ）に基づきＰＤＣＣＨ／ＰＤＳＣＨを監視する。ＰＤＣＣＨ／ＰＤＳＣＨは下りリンク帯域幅全体に配置されるが、ページングメッセージは特定の時間に限って送信されるため、ＵＥがＰＤＣＣＨ／ＰＤＳＣＨを監視する時、一部のパワーが無駄に消費されるという問題があった。
【０００４】
背景技術の部分では、本願の背景に対する理解の向上を促すための関連情報が記載されており、従来技術に該当せず当業者が知っている情報を含む可能性がある。
【発明の概要】
【発明が解決しようとする課題】
【０００５】
関連技術における問題を解決するため、本願は、ＵＥによるページングメッセージの監視をトリガするための方法、ＵＥ、基地局及び記憶媒体を提供し、これによりパワーの消費を低減することができる。
【課題を解決するための手段】
【０００６】
本願の第１の態様において、ＵＥによるページングメッセージの監視をトリガする方法を提供し、前記方法は、前記ＵＥにおいて行われ、前記方法は、前記ＵＥと前記ＵＥの位置するブロードキャストチャネルの時間周波数リソースとの間の対応関係を取得することと、前記対応関係に基づき、ブロードキャストチャネルの時間周波数リソースによって基地局から前記トリガメッセージを受信することと、前記ＵＥの前記ページングメッセージに対する監視をトリガすることとを含む。
【０００７】
本願の第２の態様において、ＵＥによるページングメッセージの監視をトリガする方法を提供し、前記方法は、基地局において行われ、前記ＵＥと前記ＵＥの位置するブロードキャストチャネルの時間周波数リソースとの間の対応関係を取得することと、前記対応関係に基づき、ブロードキャストチャネルの時間周波数リソースによって前記ＵＥにトリガメッセージを送信し、ただし前記トリガメッセージは前記ＵＥの前記ページングメッセージに対する監視をトリガするために用いられることとを含む。
【０００８】
本願の第３の態様において、ＵＥによるページングメッセージの監視をトリガする方法を提供し、前記方法は、基地局が前記ＵＥと前記ＵＥの位置するブロードキャストチャネルの時間周波数リソースとの間の対応関係を取得し、ただし前記トリガメッセージはＵＥのページングメッセージに対する監視をトリガするために用いられることと、前記ＵＥが前記対応関係を取得することと、前記基地局が前記対応関係に基づき、ブロードキャストチャネルの時間周波数リソースによって前記ＵＥにトリガメッセージを送信することと、前記ＵＥが前記対応関係に基づき、ブロードキャストチャネルの時間周波数リソースによって前記基地局から前記トリガメッセージを受信することと、前記ＵＥが前記ＵＥの前記ページングメッセージに対する監視をトリガすることとを含む。
【０００９】
本願の第４の態様において、ＵＥを提供し、前記ＵＥは、前記ＵＥと前記ＵＥのトリガメッセージの位置するブロードキャストチャネルの時間周波数リソースとの間の対応関係を取得するために用いられる第１の取得モジュールと、前記対応関係に基づき、ブロードキャストチャネルの時間周波数リソースによって基地局から前記トリガメッセージを受信するために用いられる受信モジュールと、前記ＵＥのページングメッセージに対する監視をトリガするために用いられるトリガモジュールとを含む。
【００１０】
本願の第５の態様において、基地局を提供し、前記基地局は、前記ＵＥと前記ＵＥのトリガメッセージの位置するブロードキャストチャネルの時間周波数リソースとの間の対応関係を取得するために用いられる取得モジュールと、前記対応関係に基づき、ブロードキャストチャネルの時間周波数リソースによって前記ＵＥにトリガメッセージを送信するために用いられる第１の送信モジュールとを含み、ただし前記トリガメッセージは前記ＵＥのページングメッセージに対する監視をトリガするために用いられる。
【００１１】
本願の第６の態様において、システムを提供し、前記システムは、第４の態様に係るＵＥと、第５の態様に係る基地局とを含む。
【００１２】
本願の第７の態様において、ＵＥを提供し、前記ＵＥは、プロセッサと、前記プロセッサによって実行されるコマンドを記憶するためのメモリとを含む。ただし、前記プロセッサは、前記ＵＥと前記ＵＥの位置するブロードキャストチャネルの時間周波数リソースとの間の対応関係を取得し、前記対応関係に基づき、ブロードキャストチャネルの時間周波数リソースによって前記基地局からトリガメッセージを受信し、前記ＵＥの前記ページングメッセージに対する監視をトリガするよう、前記コマンドを実行するために用いられる。
【００１３】
本願の第８の態様において、基地局を提供し、前記基地局は、プロセッサと、前記プロセッサによって実行されるコマンドを記憶するためのメモリとを含む。ただし、前記プロセッサは、前記ＵＥと前記ＵＥの位置するブロードキャストチャネルの時間周波数リソースとの間の対応関係を取得し、前記対応関係に基づき、ブロードキャストチャネルの時間周波数リソースによって前記ＵＥにトリガメッセージを送信するよう、前記コマンドを実行するよう、前記コマンドを実行するために用いられ、ただし前記トリガメッセージは前記ＵＥのページングメッセージに対する監視をトリガするために用いられる。
【００１４】
本願の第９の態様において、非一時的コンピュータ読み取り可能な記憶媒体を提供し、前記記憶媒体には、ユーザ機器のプロセッサによって実行されることで、前記ユーザ機器は第１の態様に係るＵＥによるページングメッセージの監視をトリガするための方法を実行するコンピュータ読み取り可能なコマンドが記憶される。
【００１５】
本願の第１０の態様において、非一時的コンピュータ読み取り可能な記憶媒体を提供し、前記記憶媒体には、基地局のプロセッサによって実行されることで、前記基地局は第２の態様に係るＵＥによるページングメッセージの監視をトリガするための方法を実行するコンピュータ読み取り可能なコマンドが記憶される。
【発明の効果】
【００１６】
本願の実施例に係る技術的解決手段は、以下の有益な效果を実現できる。
【００１７】
本願の少なくとも一部の実施例によれば、基地局はＵＥにページングメッセージを送信する前に、ＵＥにトリガメッセージを送信する。当該トリガメッセージは、帯域幅がキャリア帯域幅より小さいブロードキャストチャネルにおいて送信される。当該ＵＥは当該トリガメッセージを受信すると、下りリンク制御及びデータチャネルの監視を開始する。このような構成により、ＵＥは潜在的なページングメッセージのために下りリンク制御及びデータチャネルを監視する必要がないため、パワーを節約できる。
【００１８】
なお、上記一般的な説明及び以下の詳細な説明は、例示的で説明目的のものに過ぎず、本願の範囲を限定するものではない。
【図面の簡単な説明】
【００１９】
本明細書に含まれてその一部を構成する図は、本願と一致する実施例を示すとともに、明細書と共に本願の趣旨を説明するために用いられる。
【図１】図１は、本願の実施例によるＵＥにおいて実行される、ＵＥによるページングメッセージの監視をトリガするための方法を示すフローチャートである。
【図２】図２は、本願の実施例による基地局において実行される、ＵＥによるページングメッセージの監視をトリガするための方法を示すフローチャートである。
【図３】図３は、本願の実施例によるＵＥ及び基地局において実行される、ＵＥによるページングメッセージの監視をトリガするための方法を示すフローチャートである。
【図４】図４は、本願の実施例によるＵＥを示すブロック図である。
【図５】図５は、本願のもう一つの実施例によるＵＥを示すブロック図である。
【図６】図６は、本願の実施例による基地局を示すブロック図である。
【図７】図７は、本願のもう一つの実施例による基地局を示すブロック図である。
【図８】図８は、本願のさらにもう一つの実施例による基地局を示すブロック図である。
【図９】図９は、本願の実施例によるＵＥ及び基地局を含むシステムを示すブロック図である。
【図１０】図１０は、本願の実施例によるＵＥを示すブロック図である。
【図１１】図１１は、本願の実施例による基地局を示すブロック図である。
【発明を実施するための形態】
【００２０】
以下、本願の例示的な実現形態を、図面を参照しながらより詳細に説明する。なお、例示的な実現形態は、本明細書に詳細に説明される例に限定されることなく様々な形態で実現できることは理解される。逆に、これらの実現形態を提供するのは、本願の例示的な実現形態の趣旨を当業者により詳細且つ完全に伝えるためである。各図は本願を概略的に示す図であるため、実際の寸法に比例して描画されなくてもよい。各図に示される同一の符号は、同一又は類似の部分を表すため、それらの説明は重複を避けるため省略される。
【００２１】
また、説明される特性、構造又は特徴は、適当な形態でさえあればいずれも一つ以上の実施形態に組み合わせることができる。以下の説明において、本願の実施形態の全てが理解されるよう多くの詳細を提供している。なお、当業者であれば理解できるように、本願の技術的解決手段は１つ以上の特定の細部構成が省略される状況において実施されるか、又はその他の方法、コンポーネント、機器、ステップ等が採用されることが可能である。その他の条件においては、本願の各態様の趣旨が集約された明瞭な形で反映されるように、既知の構造、方法、機器、実現形態、材料又は操作を詳細に記載したり説明したりしていない。
【００２２】
各図に示されたいくつかのブロック図は、機能的エンティティであり、物理的又は論理的において独立したエンティティに対応する必要はない。これらの機能的エンティティは、ソフトウェアの形で実現されるか、１つ以上のハードウェアモジュールもしくは集積回路において実現されるか、もしくは異なるネットワーク及び／又はプロセッサ機器及び／又はマイクロコントローラ機器において実現されてもよい。
【００２３】
図１は、本願の実施例によるＵＥにおいて実行される、ＵＥによるページングメッセージの監視をトリガするための方法を示すフローチャートである。
【００２４】
図１に示すように、当該方法は、ＵＥにおいて実行され、以下の動作Ｓ１０２、Ｓ１０４及びＳ１０６を含んでもよい。
【００２５】
Ｓ１０２において、ＵＥは、ＵＥとＵＥのトリガメッセージの位置するブロードキャストチャネルの時間周波数リソースとの間の対応関係を取得する。
【００２６】
一つの実施例において、当該対応関係は、半静的に設定されてもよい。具体的に、ＵＥは基地局からＵＥの識別子を取得してもよい。すなわち、基地局はＵＥに識別子を割り当てるとともに、識別子をＵＥに送信してもよい。その一例として、ＵＥが基地局にアクセスする時、基地局はＵＥに識別子を割り当てるとともに、当該識別子をＵＥに送信してもよい。したがって、ＵＥは基地局から識別子を受信してもよい。もう一例として、基地局がＵＥからの要求に応答して識別子を割り当ててもよい。具体的に、ＵＥはＵＥの識別子を割り当てる要求を基地局に送信し、次にＵＥは基地局が当該要求に応答して割り当てたＵＥの識別子を基地局から受信してもよい。
【００２７】
ＵＥが基地局によって割り当てられた識別子を受信する場合、ＵＥは基地局から有効期間及び／又は地理エリアを取得してもよい。ここで、有効期間はＵＥによるＵＥのページングトリガメッセージの導出に対して識別子が有効な時間帯を指示してもよく、且つ地理エリアは識別子がその中で有効であるエリア、例えばトラッキングエリア（ｔｒａｃｋｉｎｇ  ａｒｅａ、略称ＴＡ）又はいずれかのセルを指示してもよい。有効期間が既に経過した、且つ／又はＵＥが有効な地理エリア以外に位置する場合、基地局はＵＥに新たな識別子を割り当てるか、又はＵＥは基地局から新たな識別子を要求してもよい。
【００２８】
ＵＥが基地局によって割り当てられた識別子を受信する場合、識別子は基地局によって割り当てられるため、基地局はより効果的にＵＥを管理できるとともに、ページングトリガメッセージはより効果的なものになる。これにより、複数のＵＥを同一メッセージの同一ビットにマッピングすることも避けられる。
【００２９】
一つの実施例において、当該対応関係は、ＵＥのトリガメッセージの位置するブロードキャストチャネルの時間周波数リソースと、ＵＥの固有な一意識別子、ＵＥの加入者の固有な一意識別子及びその組み合わせのうちの１つとの間の対応関係であってもよい。言い換えれば、識別子は基地局によって割り当てられるのではなく、逆に、識別子はＵＥの固有なもの又はＵＥの加入者の固有なものである。ＵＥが基地局に登録する時、ＵＥはＵＥの固有な一意識別子、ＵＥの加入者の固有な一意識別子又はその組み合わせを基地局に報告してもよい。その一例として、ＵＥの加入者の固有な一意識別子は、ＵＥの加入者アイデンティティモジュール（ｓｕｂｓｃｒｉｂｅｒ  ｉｄｅｎｔｉｔｙ  ｍｏｄｕｌｅ、略称ＳＩＭ）の固有な識別子であってもよい。なお、ＵＥの加入者の固有な一意識別子は、ＵＥの加入者を指示するあらゆる識別子、例えば、ＵＥのエンベデッドＳＩＭ（ｅｍｂｅｄｄｅｄ  ＳＩＭ、略称ｅＳＩＭ）の固有な識別子であってもよい。
【００３０】
ＵＥは基地局からＵＥの識別子とＵＥのトリガメッセージの位置するブロードキャストチャネルの時間周波数リソースとの間の対応関係を取得してもよい。言い換えれば、当該対応関係は、ＵＥの識別子と時間周波数リソースとの間の対応関係である。
【００３１】
一つの実施例において、時機と基地局からのＵＥの識別子又はＵＥ群の識別子との間の第１の対応関係と、当該時機と基地局からのブロードキャストチャネルの時間周波数リソースとの間の第２の対応関係とに基づき、ＵＥとＵＥのトリガメッセージの位置するブロードキャストチャネルの時間周波数リソースとの間の対応関係を確定する。
【００３２】
関連技術において、ＵＥは算出されたインスタンス（すなわち、ページング時機）に基づきページングメッセージを監視することができる。ページング時機は時間周波数時機であってもよい。なお、ページング時機においてページングメッセージが送信されていない可能性があるため、一部のパワーが無駄に消費されることもある。これはページングメッセージがたまたま送信されるだけだからである。
【００３３】
なお、本願の一つの実施例において、時機とＵＥの識別子又はＵＥ群の識別子との間の第１の対応関係と、時機とブロードキャストチャネルの時間周波数リソースとの間の第２の対応関係とを提供している。これにより、第１の対応関係及び第２の対応関係に基づき、ＵＥとＵＥのトリガメッセージの位置するブロードキャストチャネルの時間周波数リソースとの間の対応関係を確定する。言い換えれば、ＵＥは、ページング時機においてページングメッセージを監視するのではなく、ページング時機にリンクされる予め設定された時間周波数リソースにおいてトリガメッセージを監視することができる。トリガメッセージがＵＥをトリガする必要があるように指示する場合、ＵＥによるページングメッセージの監視をトリガする。ページング時機にリンクされる予め設定された時間周波数リソースにはトリガメッセージがない場合、ＵＥによるページングメッセージの監視をトリガしない。ブロードキャストチャネルによってトリガメッセージを送信し、且つ当該ブロードキャストチャネルの帯域幅はキャリア帯域幅より小さいため、パワーを節約できる。
【００３４】
一つの実施例において、基地局は、ブロードキャスト（例えば、システム情報ブロック（ＳＩＢ））によってＵＥとＵＥのトリガメッセージの位置するブロードキャストチャネルの時間周波数リソースとの間の対応関係をＵＥに送信してもよい。したがって、ＵＥはＳＩＢのようなブロードキャストによって対応関係を受信することができる。言い換えれば、ＵＥはブロードキャスト（例えばＳＩＢ）によって潜在的な複数のページングトリガメッセージの時間／周波数リソースを知ることができる。
【００３５】
Ｓ１０４において、ＵＥは当該対応関係に基づき、ブロードキャストチャネルの時間周波数リソースによって基地局からトリガメッセージを受信する。
【００３６】
一つの実施例において、トリガメッセージのそれぞれは、１つのＵＥ、１つのＵＥ群又は複数のＵＥ群をトリガするために設定されてもよい。
【００３７】
トリガメッセージのそれぞれがＵＥをトリガするために設定される場合、トリガメッセージ全体は、どのＵＥをトリガしてページングメッセージを監視させるかを指示する。
【００３８】
トリガメッセージのそれぞれが１つのＵＥ群をトリガするために設定される場合、トリガメッセージは複数のビットを含んでもよい。例えば、トリガメッセージは２０ビットを含み、且つ各ビットは１つのＵＥに対応してもよい。例えば、トリガメッセージにおけるいずれか１つのビットは、いずれかのＵＥをトリガしてページングメッセージを監視するように指示してもよい。例えば、いずれかのビットの値「１」は、いずれかのＵＥをトリガするように指示してもよい。又は、いずれかのビットの値「０」は、いずれかのＵＥをトリガするように指示してもよい。
【００３９】
なお、トリガメッセージに含まれるビットは、２０ビットより多くても少なくてもよく、例えば、基地局のセルにおけるＵＥの数により決定される。また、全体として、２つ又はより多くのビットは、いずれかのＵＥをトリガしてページングメッセージを監視するように指示してもよい。例えば、いずれかのビットペアは、いずれかのＵＥをトリガするように指示してもよい。例えば、いずれかのビットペアの値「０」と「０」は、予め設定された規則に基づきいずれかのＵＥをトリガするように指示してもよい。選択可能なものとして、ビットのその他の値はいずれかのＵＥをトリガするように指示してもよい。
【００４０】
トリガメッセージのそれぞれが複数のＵＥ群をトリガするために設定される場合、トリガメッセージは複数のビットを含み、且つ特定の数のビットは１つのＵＥ群に対応してもよい。例えば、それぞれのビットは１つのＵＥ群に対応してもよい。
【００４１】
この場合において、ＵＥは複数の群に分けられてもよい。
【００４２】
例えば、ＵＥの識別子に基づきＵＥを群に分けてもよい。例えば、ＵＥの識別子におけるいずれかのビット又はいくつかのビットが同一である場合、例えば、基地局によってＵＥを同一の群に分けるか、又は基準に基づきＵＥを同一の群に分ける。一つの実施例において、ＵＥが初めて基地局に登録する場合、ＵＥは、ＵＥの固有な一意識別子、ＵＥの加入者の固有な一意識別子又はその組み合わせを基地局に報告してもよい。選択可能なものとして、基地局は自主的にＵＥに識別子を割り当てるか、ＵＥからの要求に応答してＵＥに識別子を割り当ててもよい。いくつかの実施例において、場合によっては、その他の予め設定された規則に基づきＵＥを複数の群に分けてもよい。
【００４３】
一つの実施例において、時間周波数リソースには複数のトリガメッセージが付随されてもよい。この場合において、予め設定された／半静的に設定された時間周波数リソースには複数のページングトリガメッセージが存在し、且つページングトリガメッセージのそれぞれは、ＵＥ、１つのＵＥ群又は複数のＵＥ群に対応してもよい。
【００４４】
トリガメッセージのそれぞれが１つのＵＥ群に対応する場合、トリガメッセージのそれぞれには例えば２０ビットが存在し、且つ、例えば時間周波数リソースには３つのトリガメッセージが付随される。この場合において、ＵＥ１〜ＵＥ２０はページングトリガメッセージ１に位置し、ＵＥ２１〜ＵＥ４０はページングトリガメッセージ２に位置し、ＵＥ４１〜ＵＥ６０はページングトリガメッセージ３に位置する。なお、トリガメッセージのそれぞれには２０ビットより多い又は少ないビットが存在してもよく、且つ、時間周波数リソースに付随されている３つのトリガメッセージより多い又は少ないトリガメッセージが存在してもよい。
【００４５】
トリガメッセージのそれぞれが複数のＵＥ群に対応する場合、トリガメッセージには例えば２０ビットを含み、且つ、各ビットは例えば１つのＵＥ群に対応してもよい。例えば、トリガメッセージにおけるいずれかのビットは、いずれかのＵＥ群をトリガしてページングメッセージを監視するように指示してもよい。例えば、いずれかのビットの値「１」はいずれか１つのＵＥ群をトリガするように指示してもよい。又は、いずれかのビットの値「０」はいずれか１つのＵＥ群をトリガするように指示してもよい。例えば、ＵＥ群１〜ＵＥ群２０は第１のページングトリガメッセージに位置し、ＵＥ群２１〜ＵＥ群４０は第２のページングトリガメッセージに位置し、ＵＥ群４１〜ＵＥ群６０は第３ページングトリガメッセージに位置する。なお、トリガメッセージのそれぞれには２０ビットより多い又は少ないビットが存在してもよく、且つ、時間周波数リソースに付随されている３つのトリガメッセージより多い又は少ないトリガメッセージが存在してもよい。
【００４６】
なお、トリガメッセージに含まれたビットは、２０ビットより多くても少なくてもよく、例えば、基地局のセルにおけるＵＥの数により決定される。なお、全体として、２つ又はより多くのビットは、いずれかの１つのＵＥ群をトリガしてページングメッセージを監視するように指示してもよい。例えば、いずれかのビットペアはいずれかのＵＥ群をトリガするように指示してもよい。例えば、いずれかのビットペアの値「０」と「０」は、いずれかのＵＥ群をトリガするように指示してもよい。
【００４７】
Ｓ１０６において、ＵＥはＵＥのページングメッセージに対する監視をトリガする。
【００４８】
ＵＥが前記メッセージを読み取り、且つＵＥがトリガされたことを発見すると、ＵＥは実際のページングメッセージを探すよう、ＰＤＣＣＨ／ＰＤＳＣＨの監視を開始する。このような構成により、ＵＥは不要なＰＤＣＣＨ／ＰＤＳＣＨの監視を避けることで、消費パワーを節約するという效果を実現できる。
【００４９】
図２は、本願の実施例による基地局において実行される、ＵＥによるページングメッセージの監視をトリガするための方法を示すフローチャートである。
【００５０】
図２に示すように、当該方法は、基地局において実行され、以下の動作Ｓ２０２及びＳ２０４を含んでもよい。
【００５１】
Ｓ２０２において、基地局はＵＥとＵＥのトリガメッセージの位置するブロードキャストチャネルの時間周波数リソースとの間の対応関係を取得する。
【００５２】
一つの実施例において、基地局は、予め設定されたＵＥとＵＥのトリガメッセージの位置するブロードキャストチャネルの時間周波数リソースとの間の対応関係を取得してもよい。言い換えれば、当該対応関係は、基地局によって設定又は確定されるのではなく、例えば、基準又は予め設定された規則に基づき予め設定又は予め確定されるのである。
【００５３】
一つの実施例において、基地局は、ＵＥとＵＥのトリガメッセージの位置するブロードキャストチャネルの時間周波数リソースとの間の対応関係を設定することにより、当該対応関係を取得してもよい。言い換えれば、基地局自体が当該対応関係を設定する。一つの実施例において、当該方法は、当該対応関係をＵＥに送信することをさらに含んでもよい。
【００５４】
Ｓ２０４において、基地局は当該対応関係に基づき、ブロードキャストチャネルの時間周波数リソースによってＵＥにトリガメッセージを送信し、ただし当該トリガメッセージはＵＥのページングメッセージに対する監視をトリガするために用いられる。
【００５５】
一つの実施例において、当該方法は、ＵＥに識別子を割り当てることをさらに含んでもよい。この場合において、基地局は、ＵＥの識別子とＵＥのトリガメッセージの位置するブロードキャストチャネルの時間周波数リソースとの間の対応関係を設定してもよい。言い換えれば、当該対応関係は、識別子と時間周波数リソースとの間の対応関係である。
【００５６】
その一例として、ＵＥが基地局にアクセスする時、基地局は当該ＵＥに識別子を割り当ててもよい。もう一例として、基地局がＵＥから識別子を割り当てる要求を受信するとともに、当該要求に応答して、基地局はＵＥに識別子を割り当ててもよい。
【００５７】
一つの実施例において、当該対応関係は、ＵＥのトリガメッセージの位置するブロードキャストチャネルの時間周波数リソースと、ＵＥの固有な一意識別子、ＵＥの加入者の固有な一意識別子及びその組み合わせのうちの１つとの間の対応関係である。
【００５８】
一つの実施例において、時間周波数リソースに複数のトリガメッセージが付随されてもよい。
【００５９】
一つの実施例において、トリガメッセージのそれぞれは、１つのＵＥ、１つのＵＥ群又は複数のＵＥ群をトリガするために設定されてもよい。
【００６０】
一つの実施例において、時機と基地局からのＵＥの識別子又はＵＥ群識別子との間の第１の対応関係と、当該時機と基地局からのブロードキャストチャネルの時間周波数リソースとの間の第２の対応関係とに基づき、ＵＥとＵＥのトリガメッセージの位置するブロードキャストチャネルの時間周波数リソースとの間の対応関係を確定する。
【００６１】
図１を参照してなされた説明は、図２に示される方法にも適用でき、明確性のため、ここにおいてその詳細な説明が省略される。
【００６２】
図３は、本願の実施例によるＵＥ及び基地局において実行される、ＵＥによるページングメッセージの監視をトリガするための方法を示すフローチャートである。
【００６３】
図３に示すように、当該方法は、ＵＥ及び基地局の両者において実行され、以下の動作Ｓ３０２、Ｓ３０４、Ｓ３０６、Ｓ３０８及びＳ３１０を含んでもよい。
【００６４】
Ｓ３０２において、基地局はＵＥとＵＥのトリガメッセージの位置するブロードキャストチャネルの時間周波数リソースとの間の対応関係を取得し、ただし当該トリガメッセージはＵＥのページングメッセージに対する監視をトリガするために設定される。
【００６５】
Ｓ３０４において、ＵＥは当該対応関係を取得する。
【００６６】
Ｓ３０６において、基地局は当該対応関係に基づき、ブロードキャストチャネルの時間周波数リソースによってＵＥにトリガメッセージを送信する。
【００６７】
Ｓ３０８において、ＵＥは当該対応関係に基づき、ブロードキャストチャネルの時間周波数リソースによって基地局からトリガメッセージを受信する。
【００６８】
Ｓ３１０において、ＵＥはＵＥのページングメッセージに対する監視をトリガする。
【００６９】
一つの実施例において、当該方法は、基地局がＵＥに識別子を割り当てることと、ＵＥが基地局から識別子を取得することとをさらに含んでもよい。この場合において、当該対応関係は、基地局からのＵＥの識別子とＵＥのトリガメッセージの位置するブロードキャストチャネルの時間周波数リソースとの間の対応関係である。
【００７０】
一つの実施例において、ＵＥは、基地局にアクセスする時、基地局によって割り当てられたＵＥの識別子を基地局から受信してもよい。もう一つの実施例において、ＵＥはＵＥの識別子を割り当てるための要求を基地局に送信し、次にＵＥは基地局が当該要求に応答して割り当てた識別子を基地局から受信してもよい。
【００７１】
一つの実施例において、当該対応関係は、ＵＥのトリガメッセージの位置するブロードキャストチャネルの時間周波数リソースと、ＵＥの固有な一意識別子、ＵＥの加入者の固有な一意識別子及びその組み合わせのうちの１つとの間の対応関係であってもよい。
【００７２】
一つの実施例において、時間周波数リソースには複数のトリガメッセージが付随されてもよい。
【００７３】
一つの実施例において、トリガメッセージのそれぞれは、１つのＵＥ、１つのＵＥ群又は複数のＵＥ群をトリガするために設定されてもよい。
【００７４】
一つの実施例において、時機と基地局からのＵＥの識別子又はＵＥ群の識別子との間の第１の対応関係と、当該時機と基地局からのブロードキャストチャネルの時間周波数リソースとの間の第２の対応関係とに基づき、ＵＥとＵＥのトリガメッセージの位置するブロードキャストチャネルの時間周波数リソースとの間の対応関係を確定してもよい。
【００７５】
図１を参照してなされた説明は、図３に示される方法にも適用でき、明確性のため、ここにおいてその詳細な説明が省略される。
【００７６】
図４は、本願の実施例によるＵＥを示すブロック図である。
【００７７】
図４に示すように、ＵＥは、第１の取得モジュール４０２と、受信モジュール４０４と、トリガモジュール４０６とを含んでもよい。
【００７８】
第１の取得モジュール４０２は、ＵＥとＵＥのトリガメッセージの位置するブロードキャストチャネルの時間周波数リソースとの間の対応関係を取得するために用いられてもよい。
【００７９】
受信モジュール４０４は、当該対応関係に基づき、ブロードキャストチャネルの時間周波数リソースによって基地局からトリガメッセージを受信するために用いられてもよい。
【００８０】
トリガモジュール４０６は、ＵＥのページングメッセージに対する監視をトリガするために用いられてもよい。
【００８１】
図５は、本願のもう一つの実施例によるＵＥを示すブロック図である。
【００８２】
図５に示すように、第１の取得モジュール４０２、受信モジュール４０４及びトリガモジュール４０６の他に、ＵＥは第２の取得モジュール４０８をさらに含む。第２の取得モジュール４０８は、基地局からＵＥの識別子を取得するために用いられてもよい。この場合において、第１の取得モジュール４０２は、基地局からのＵＥの識別子とＵＥのトリガメッセージの位置するブロードキャストチャネルの時間周波数リソースとの間の対応関係を取得するために用いられてもよい。
【００８３】
一つの実施例において、第２の取得モジュール４０８は、ＵＥが基地局にアクセスする時、基地局が割り当てたＵＥの識別子を基地局から受信するために用いられてもよい。
【００８４】
もう一つの実施例において、第２の取得モジュール４０８は、ＵＥの識別子を割り当てるための要求を基地局に送信するとともに、基地局が当該要求に応答して割り当てた識別子を基地局から受信するために用いられてもよい。
【００８５】
一つの実施例において、当該対応関係は、ＵＥのトリガメッセージの位置するブロードキャストチャネルの時間周波数リソースと、ＵＥの固有な一意識別子、ＵＥの加入者の固有な一意識別子及びその組み合わせのうちの１つとの間の対応関係である。
【００８６】
一つの実施例において、時間周波数リソースには複数のトリガメッセージが付随される。
【００８７】
一つの実施例において、トリガメッセージのそれぞれは、ＵＥ、１つのＵＥ群又は複数のＵＥ群をトリガするために設定されてもよい。
【００８８】
一つの実施例において、時機と基地局からのＵＥの識別子又はＵＥ群の識別子との間の第１の対応関係と、当該時機と基地局からのブロードキャストチャネルの時間周波数リソースとの間の第２の対応関係とに基づき、ＵＥとＵＥのトリガメッセージの位置するブロードキャストチャネルの時間周波数リソースとの間の対応関係を確定する。
【００８９】
図１〜図３を参照してなされた説明は、図４及び５に示されるＵＥにも適用でき、明確性のため、ここにおいてその詳細な説明が省略される。
【００９０】
図６は、本願の実施例による基地局を示すブロック図である。
【００９１】
図６に示すように、基地局は、取得モジュール６０２と、第１の送信モジュール６０４とを含んでもよい。
【００９２】
取得モジュール６０２は、ＵＥとＵＥのトリガメッセージの位置するブロードキャストチャネルの時間周波数リソースとの間の対応関係を取得するために用いられてもよい。
【００９３】
第１の送信モジュール６０４は、当該対応関係に基づき、ブロードキャストチャネルの時間周波数リソースによってＵＥにトリガメッセージを送信するために用いられてもよく、ただし当該トリガメッセージはＵＥのページングメッセージに対する監視をトリガするために用いられる。
【００９４】
一つの実施例において、取得モジュールは、予め設定されたＵＥとＵＥのトリガメッセージの位置するブロードキャストチャネルの時間周波数リソースとの間の対応関係を取得するために用いられてもよい。
【００９５】
一つの実施例において、取得モジュールは、ＵＥとＵＥのトリガメッセージの位置するブロードキャストチャネルの時間周波数リソースとの間の対応関係を設定するために用いられてもよい。
【００９６】
図７は、本願のもう一つの実施例による基地局６００’を示すブロック図である。
【００９７】
図７に示すように、取得モジュール６０２及び第１の送信モジュール６０４の他に、基地局６００’は、第２の送信モジュール６０６をさらに含んでもよい。第２の送信モジュール６０６は、当該対応関係をＵＥに送信するために用いられてもよい。
【００９８】
図８は、本願のもう一つの実施例による基地局６００”を示すブロック図である。
【００９９】
図８に示すように、取得モジュール６０２、第１の送信モジュール６０４及び第２の送信モジュール６０６の他に、基地局６００”は、ＵＥに識別子を割り当てるための割り当てモジュール６０８をさらに含んでもよい。
【０１００】
割り当てモジュール６０８は、ＵＥの識別子とＵＥのトリガメッセージの位置するブロードキャストチャネルの時間周波数リソースとの間の対応関係を設定するために用いられてもよい。
【０１０１】
一つの実施例において、割り当てモジュール６０８は、ＵＥが基地局にアクセスする時、ＵＥに識別子を割り当てるために用いられてもよい。
【０１０２】
一つの実施例において、割り当てモジュール６０８は、ＵＥから識別子を割り当てる要求を受信するとともに、当該要求に応答して、ＵＥに識別子を割り当てるために用いられてもよい。
【０１０３】
一つの実施例において、当該対応関係は、ＵＥのトリガメッセージの位置するブロードキャストチャネルの時間周波数リソースと、ＵＥの固有な一意識別子、ＵＥの加入者の固有な一意識別子及びその組み合わせのうちの１つとの間の対応関係であってもよい。
【０１０４】
一つの実施例において、時間周波数リソースに複数のトリガメッセージが付随されてもよい。
【０１０５】
一つの実施例において、トリガメッセージのそれぞれは、１つのＵＥ、１つのＵＥ群又は複数のＵＥ群をトリガするために設定されてもよい。
【０１０６】
図１〜図３を参照してなされた説明は、図６〜図８に示される基地局にも適用でき、明確性のため、ここにおいてその詳細な説明が省略される。
【０１０７】
一つの実施例において、時機と基地局からのＵＥの識別子又はＵＥ群の識別子との間の第１の対応関係と、当該時機と基地局からのブロードキャストチャネルの時間周波数リソースとの間の第２の対応関係とに基づき、ＵＥとＵＥのトリガメッセージの位置するブロードキャストチャネルの時間周波数リソースとの間の対応関係を確定する。
【０１０８】
図９は、本願の実施例によるＵＥ及び基地局を含むシステムを示すブロック図である。
【０１０９】
図９に示すように、当該システムは、ＵＥと、基地局とを含む。
【０１１０】
ＵＥは、図４、図５又は図１０のいずれかに示されるＵＥ又は図１に示される方法を実行できるいかなるＵＥであってもよい。基地局は、図６、図７、図８又は図１１のいずれかに示される基地局又は図２に示される方法を実行できるいかなる基地局であってもよい。
【０１１１】
なお、第１の取得モジュール４０２、第２の取得モジュール４０８及び受信モジュール４０４はいずれも受信器によって実現されてもよく、トリガモジュール４０６はプロセッサによって実現されてもよい。図１０に示すように、ＵＥ１０００は、プロセッサ１００２と、受信器１００４と、送信器１００６と、メモリ１００８とを含んでもよい。ここで、メモリ１００８は、プロセッサ１００２等によって実行されるコマンドを記憶するように設定されてもよい。
【０１１２】
ＵＥ１０００におけるコンポーネントのそれぞれは、バスシステム１０１０によって一体に接続される。ここで、バスシステム１０１０はデータバスだけでなく、電源バス、制御バス及び状態信号バスをも含む。
【０１１３】
図４に示されるＵＥ４００、図５に示されるＵＥ４００’及び図１０に示されるＵＥ１０００は、図１又は図３に示される実施例における各プロセスを実現でき、説明の重複を避けるため、ここにおいてその説明が省略される。
【０１１４】
なお、本願の方法の実施例は、プロセッサに適用されるか、プロセッサによって実現されてもよい。プロセッサは、信号処理能力を有する集積回路チップであってもよい。実現させるに当たり、方法の実施例の各ステップは、プロセッサにおけるハードウェアの集積論理回路又はソフトウェア形式のコマンドにより完了されてもよい。プロセッサは、本願の実施例に開示されている方法、ステップ及び論理ブロック図のそれぞれを実現又は実行できる汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）又はその他のプログラマブル論理素子、ディスクリートゲート又はトランジスタ論理素子及び分散されたハードウェアコンポーネントであってもよい。汎用プロセッサはマイクロプロセッサであってもよい、又はプロセッサはいかなる従来のプロセッサ等であってもよい。本願の実施例に開示されている方法のステップにおいては、ハードウェア復号プロセッサによって実行及び完了されるか、又は復号プロセッサにおけるハードウェアモジュールとソフトウェアモジュールの組み合わせにより実行及び完了される形で表現されてもよい。ソフトウェアモジュールは、例えば、ランダムアクセスメモリ（Ｒａｎｄｏｍ  Ａｃｃｅｓｓ  Ｍｅｍｏｒｙ、略称ＲＡＭ）、フラッシュメモリ、読み取り専用メモリ（Ｒｅａｄ−Ｏｎｌｙ  Ｍｅｍｏｒｙ、略称ＲＯＭ）、プログラマブルＲＯＭ（Ｐｒｏｇｒａｍｍａｂｌｅ  ＲＯＭ、略称ＰＲＯＭ）又は電気的消去可能ＰＲＯＭ（Ｅｌｅｃｔｒｉｃａｌｌｙ  Ｅｒａｓａｂｌｅ  ＰＲＯＭ、略称ＥＥＰＲＯＭ）やレジスタ等当該分野では成熟した記憶媒体内に設定されてもよい。記憶媒体はメモリ内に設定され、プロセッサはメモリ内の情報を読み取るとともに、ハードウェアと結び付いて方法のステップを完了する。
【０１１５】
なお、本願の実施例におけるメモリは、揮発性メモリか不揮発性メモリであってもよく、又は揮発性及び不揮発性メモリ両方を含んでもよく、ただし、不揮発性メモリはＲＯＭ、ＰＲＯＭ、消去可能ＰＲＯＭ（ＥＰＲＯＭ）、ＥＥＰＲＯＭ又はフラッシュメモリであってもよい。揮発性メモリは、外部キャッシュとして用いられるＲＡＭであってもよい。使用可能な各種形態のＲＡＭとして、例えば、スタティックＲＡＭ（Ｓｔａｔｉｃ  ＲＡＭ、略称ＳＲＡＭ）、ダイナミックＲＡＭ（Ｄｙｎａｍｉｃ  ＲＡＭ、略称ＤＲＡＭ）、シンクロナスＤＲＡＭ（Ｓｙｎｃｈｒｏｎｏｕｓ  ＤＲＡＭ、略称ＳＤＲＡＭ）、ダブルデータレートＳＤＲＡＭ（Ｄｏｕｂｌｅ  Ｄａｔａ  Ｒａｔｅ  ＳＤＲＡＭ、略称ＤＤＲＳＤＲＡＭ）、拡張型ＳＤＲＡＭ（Ｅｎｈａｎｃｅｄ  ＳＤＲＡＭ、略称ＥＳＤＲＡＭ）、シンクロナスリンクＤＲＡＭ（Ｓｙｎｃｈｌｉｎｋ  ＤＲＡＭ、略称ＳＬＤＲＡＭ）及びダイレクトラムバス構造ＲＡＭ（Ｄｉｒｅｃｔ  Ｒａｍｂｕｓ  ＲＡＭ、略称ＤＲ  ＲＡＭ）が挙げられ、ただしこれらは例示的なものに過ぎず、限定されるものではない。なお、本願において説明されるシステム及び方法に係るメモリは、これら以外にも適当なタイプのメモリを含むことが意図され、ただしこれらにも限定されない。
【０１１６】
なお、本願の実施例において、取得モジュール６０２は、受信器によって実現されてもよく、第１の送信モジュール６０４及び第２の送信モジュール６０６は、送信器によって実現されてもよく、割り当てモジュール６０８は、プロセッサによって実現されてもよい。
【０１１７】
図１１に示すように、基地局１１００は、プロセッサ１１０２と、受信器１１０４と、送信器１１０６と、メモリ１１０８とを含んでもよい。ここで、メモリ１１０８は、プロセッサ１１０２等によって実行されるコマンドを記憶するように設定されてもよい。
【０１１８】
基地局１１００におけるコンポーネントのそれぞれはバスシステム１１１０によって接続される。ここで、バスシステム１１１０はデータバスだけでなく、電源バス、制御バス及び状態信号バスをも含む。
【０１１９】
図６〜図８に示される基地局又は図１１に示される基地局１１００は、図２及び３に示される実施例において実現される異なるプロセスを実現でき、説明の重複を避けるため、ここにおいてその説明が省略される。
【０１２０】
一つの実施例において、非一時的コンピュータ読み取り可能な記憶媒体を提供し、前記記憶媒体には、ユーザ機器のプロセッサによって実行されることで、ユーザ機器はＵＥによるページングメッセージの監視をトリガするための上記方法を実行するコンピュータ読み取り可能なコマンドが記憶される。
【０１２１】
一つの実施例において、非一時的コンピュータ読み取り可能な記憶媒体を提供し、前記記憶媒体には、基地局のプロセッサによって実行されることで、基地局はＵＥによるページングメッセージの監視をトリガするための上記方法を実行するコンピュータ読み取り可能なコマンドが記憶される。
【０１２２】
当業者が理解できるように、本明細書に開示されている各実施例に説明される各例示的なユニット、アルゴリズム及びステップは、電子的なハードウェア、又はコンピュータソフトウェアと電子的なハードウェアの組み合わせにより実現できる。これらの機能はハードウェアの形態で実行されるか、ソフトウェアの形態で実行されるかは、該当発明の特定の用途及び設計上の制限条件により決定される。当業者は特定の用途ごとに異なる方法を用いて前記機能を実現できるが、このような実現は本願の範囲に含まれる。
【０１２３】
当業者にとって自明なように、説明の便宜上や簡素化の観点から、上記のように説明されているシステム、機器及びユニットの具体的な動作プロセスは、上記方法の実施例の対応するプロセスを参照すればよいため、ここにおいてその説明が省略される。
【０１２４】
なお、本願に係るいくつかの実施例に開示されているシステム、機器及び方法は、その他の形態によっても実現できる。上記機器の実施例は例示的なものに過ぎず、例えば、上述したユニットの設定は、倫理機能上の設定に過ぎず、実現させるに当たり、その他の形態で設定してもよい。例えば、複数のユニット又はコンポーネントを互いに組み合わせるか、もう１つのシステムに集積させるか、又はその一部の特徴を省略したり実行しなかったりしてもよい。また、記載又は説明された要素間の接続、又は直接的な接続もしくは通信的接続は、機器又はユニットのいくつかのインタフェースによる間接的な接続又は通信的接続であってもよく、なお電気的形態、機械的形態又はその他の形態であってもよい。
【０１２５】
独立する部品として説明されたユニットは、物理的に分離するものでもよければ、分離していないものでもよく、ユニットとして表示される部品は、物理的なユニットであってもよければそうでなくてもよい、すなわち同一の位置に配置されてもよければ、複数のネットワークユニットに分散されてもよい。実施例に係る技術的解決手段の目的を達成するため、実際のニーズに応じてそのうちから一部又は全てのユニットを選択してもよい。
【０１２６】
また、本願の各実施例に係る各機能ユニットは処理ユニットに集積されてもよく、各ユニットは単独で存在してもよい、又は２つ以上のユニットが１つのユニットに集積されてもよい。
【０１２７】
フトウェアによる機能ユニットの形態で実現されるとともに独立する製品として販売又は使用される場合、前記機能は、コンピュータ読み取り可能な記憶媒体に記憶されてもよい。これにより、本願に係る各技術的解決手段の趣旨、又は従来技術に対して貢献する部分は、ソフトウェア製品の形態として表現されるとともに、かかるコンピュータソフトウェア製品は、１台のコンピューティング機器（パーソナルコンピュータ、サーバ、又はネットワーク機器等であってもよい）が本願に係る各実施例に記載の方法のステップの一部又はその全てを実行するためのいくつかのコマンドを含むように記憶媒体に記憶される。前記記憶媒体は、例えばＵＳＢフラッシュドライブ、ポータブルハードディスク、ＲＯＭ、ＲＡＭ、磁気ディスク又はコンパクトディスク等プログラムコードを記憶できる様々な媒体を含む。
【０１２８】
以上は、本願の具体的な実施形態に過ぎず、本願の保護範囲はこれに限定されない。本願に開示されている技術的範囲においてなされた且つ当業者にとって自明な変更や置換等であれば、そのいずれも本願の保護範囲に含まれる。そのために、本願の保護範囲は特許請求の範囲に記載の内容に準拠するものとする。
【手続補正２】
【補正対象書類名】特許請求の範囲
【補正対象項目名】全文
【補正方法】変更
【補正の内容】
【特許請求の範囲】
【請求項１】
ユーザ機器ＵＥによるページングメッセージの監視をトリガするための方法であって、前記方法は、前記ＵＥにおいて実行され、
前記ＵＥと前記ＵＥのトリガメッセージの位置するブロードキャストチャネルの時間周波数リソースとの間の対応関係を取得することと、
前記対応関係に基づき、前記ブロードキャストチャネルの時間周波数リソースによって基地局から前記トリガメッセージを受信することと、
前記ＵＥの前記ページングメッセージに対する監視をトリガすることとを含む、方法。
【請求項２】
前記基地局から前記ＵＥの識別子を取得することをさらに含み、
ただし、前記の前記ＵＥと前記ＵＥのトリガメッセージの位置するブロードキャストチャネルの時間周波数リソースとの間の対応関係を取得することは、
前記基地局から前記ＵＥの識別子と前記ＵＥのトリガメッセージの位置するブロードキャストチャネルの時間周波数リソースとの間の対応関係を取得することを含む、請求項１に記載の方法。
【請求項３】
前記の前記基地局から前記ＵＥの識別子を取得することは、
前記ＵＥが前記基地局にアクセスする時、前記基地局が割り当てた前記ＵＥの識別子を前記基地局から受信すること、又は
前記ＵＥの識別子を割り当てる要求を前記基地局に送信することと、前記基地局が前記要求に応答して割り当てた前記ＵＥの識別子を前記基地局から受信することとを含む、請求項２に記載の方法。
【請求項４】
前記対応関係は、前記ＵＥのトリガメッセージの位置するブロードキャストチャネルの時間周波数リソースと、前記ＵＥの固有な一意識別子、前記ＵＥの加入者の固有な一意識別子及びその組み合わせのうちの１つとの間の対応関係である、請求項１に記載の方法。
【請求項５】
前記ブロードキャストチャネルの時間周波数リソースには複数のトリガメッセージが付随される、請求項１〜請求項４のいずれか１項に記載の方法。
【請求項６】
トリガメッセージのそれぞれは、１つのＵＥ、１つのＵＥ群又は複数のＵＥ群をトリガするために設定される、請求項１〜請求項５のいずれか１項に記載の方法。
【請求項７】
時機と前記基地局からの前記ＵＥの識別子又はＵＥ群の識別子との間の第１の対応関係と、前記時機と前記基地局からのブロードキャストチャネルの時間周波数リソースとの間の第２の対応関係とに基づき、前記ＵＥと前記ＵＥのトリガメッセージの位置する前記ブロードキャストチャネルの時間周波数リソースとの間の対応関係を確定する、請求項１〜請求項６のいずれか１項に記載の方法。
【請求項８】
ユーザ機器ＵＥであって、
前記ＵＥと前記ＵＥのトリガメッセージの位置するブロードキャストチャネルの時間周波数リソースとの間の対応関係を取得するために用いられる第１の取得モジュールと、
前記対応関係に基づき、前記ブロードキャストチャネルの時間周波数リソースによって基地局から前記トリガメッセージを受信するために用いられる受信モジュールと、
前記ＵＥの前記ページングメッセージに対する監視をトリガするために用いられるトリガモジュールとを含む、ユーザ機器ＵＥ。
【請求項９】
前記基地局から前記ＵＥの識別子を取得するために用いられる第２の取得モジュールをさらに含み、
ただし、前記第１の取得モジュールは、前記基地局から前記ＵＥの前記識別子と前記ＵＥのトリガメッセージの位置するブロードキャストチャネルの時間周波数リソースとの間の対応関係を取得ために用いられる、請求項８に記載のＵＥ。
【請求項１０】
第２の取得モジュールは、
前記ＵＥが前記基地局にアクセスする時、前記基地が局割り当てた前記ＵＥの識別子を前記基地局から受信する、又は
前記ＵＥの識別子を割り当るための要求を前記基地局に送信し、次に前記基地局が前記要求に応答して割り当てた前記ＵＥの識別子を前記基地局から受信するために用いられる、請求項９に記載のＵＥ。
【請求項１１】
前記対応関係は、前記ＵＥのトリガメッセージの位置するブロードキャストチャネルの時間周波数リソースと、前記ＵＥの固有な一意識別子、前記ＵＥの加入者の固有な一意識別子及びその組み合わせのうちの１つとの間の対応関係である、請求項８に記載のＵＥ。
【請求項１２】
前記ブロードキャストチャネルの時間周波数リソースに複数のトリガメッセージが付随される、請求項８〜請求項１１のいずれか１項に記載のＵＥ。
【請求項１３】
トリガメッセージのそれぞれは、１つのＵＥ、１つのＵＥ群又は複数のＵＥ群をトリガするために設定される、請求項８〜請求項１２のいずれか１項に記載のＵＥ。
【請求項１４】
時機と前記基地局からの前記ＵＥの識別子又はＵＥ群の識別子との間の第１の対応関係と、前記時機と前記基地局からの前記ブロードキャストチャネルの時間周波数リソースとの間の第２の対応関係とに基づき、前記ＵＥと前記ＵＥのトリガメッセージの位置する前記ブロードキャストチャネルの時間周波数リソースとの間の対応関係を確定する、請求項８〜請求項１３のいずれか１項に記載のＵＥ。
【請求項１５】
基地局であって、
前記ＵＥと前記ＵＥのトリガメッセージの位置するブロードキャストチャネルの時間周波数リソースとの間の対応関係を取得するために用いられる取得モジュールと、
前記対応関係に基づき、前記ブロードキャストチャネルの時間周波数リソースによって前記ＵＥにトリガメッセージを送信するために用いられる第１の送信モジュールとを含み、ただし前記トリガメッセージは前記ＵＥのページングメッセージに対する監視をトリガするために用いられる、基地局。
【手続補正３】
【補正対象書類名】図面
【補正対象項目名】図３
【補正方法】変更
【補正の内容】
【図３】
2020506592.tif 000001